(57)【要約】【課題】本考案は、一般的な照明スイッチで照明装置の制御を行うことにより、照明モードの切り替えを行うことが可能な制御装置を提供する。【解決手段】室内電力に電気的に接続される照明スイッチと、前記照明スイッチに電気的に接続される照明装置とによって構成する。前記照明スイッチは、前記照明装置を制御する制御モジュールに電気的に接続され、前記制御モジュールは、電力供給ユニットと、スイッチ検出ユニットと、制御ユニットと、起動ユニットと、制御スイッチとによって構成する。前記電力供給ユニットは、前記電力線に電気的に接続され、前記スイッチ検出ユニットは、前記電力線と前記電力供給ユニットに電気的に接続され、前記制御ユニットは、前記電力供給ユニットと前記スイッチ検出ユニットに電気的に接続され、前記起動ユニットは、前記電力供給ユニットと前記制御ユニットに電気的に接続され、前記制御スイッチは、前記電力線と前記制御ユニットに電気的に接続される。【選択図】図１
0003168069.tif 000002
【実用新案登録請求の範囲】
【請求項１】
室内電力に電気的に接続される照明スイッチと、前記照明スイッチに電気的に接続される照明装置とによって構成する照明モードの切り替え可能な制御装置であって、
前記照明スイッチは、前記照明装置を制御する制御モジュールに電気的に接続され、前記制御モジュールは、電力供給ユニットと、スイッチ検出ユニットと、制御ユニットと、起動ユニットと、制御スイッチとによって構成し、
前記電力供給ユニットは、前記電力線に電気的に接続され、
前記スイッチ検出ユニットは、前記電力線と前記電力供給ユニットに電気的に接続され、
前記制御ユニットは、前記電力供給ユニットと前記スイッチ検出ユニットに電気的に接続され、
前記起動ユニットは、前記電力供給ユニットと前記制御ユニットに電気的に接続され、
前記制御スイッチは、前記電力線と前記制御ユニットに電気的に接続されることを特徴とする、照明モードの切り替え可能な制御装置。
【請求項２】
前記スイッチ検出ユニットは、照明スイッチが所定の時間連続作動したかどうかカウントする時間カウンターユニットを備えることを特徴とする、請求項１に記載の照明モードの切り替え可能な制御装置。
【請求項３】
前記起動ユニットは、光線感応起動ユニット、或いは、移動感応起動ユニット、或いは、時間設定起動ユニットの内の一つであることを特徴とする、請求項１に記載の照明モードの切り替え可能な制御装置。
【請求項４】
前記照明スイッチはボタンスイッチであることを特徴とする、請求項１に記載の照明モードの切り替え可能な制御装置。
【考案の詳細な説明】
【技術分野】
【０００１】
本考案は照明制御装置に関し、特に一般的な照明スイッチによって照明装置の制御を行うことができ、それにより自動照明モードのオンとオフの切り換えを行うことが可能な制御装置に関する。
【背景技術】
【０００２】
照明器具は広範囲にわたって使用されており、夜間には必要不可欠な電子装置となっている。室内、室外の照明としてや、広告の照明などとしても用いられ、われわれは照明のおかげで夜間でも物をはっきりと見ることができる。経済の発展も、照明器具の大量の使用を後押ししている。それに伴い、エネルギーがどんどんなくなってしまうという好ましくない効果がある。エネルギー問題を解決するため、効果的にエネルギーを節約することができる省エネ電球が登場している。しかしながら、長い時間外出したり、たびたび家を空けたりする使用者からすうと、照明器具をつけっぱなしにして夜間でも室内を明るく保つことは、泥棒の侵入を食い止める役割をもつ。
【０００３】
上述のような照明器具を使用すると、以下のような欠点が生じる。照明器具をつけっぱなしにすることで泥棒の侵入を防ぐ効果はあるものの、昼間もつけっぱなしにするとエネルギーの多大なる無駄遣いである。照明器具のつけっぱなしによる泥棒の侵入を防ぐ効果は夜間だけにしかその効果を発揮しないのにもかかわらず、昼間の１２時間も電気をつけっぱなしにするということは、１２時間照明器具の電力を浪費していることになり、しかも照明器具も壊れやすくなる。もし、自動照明点灯装置を取り付けようとすると、回路全体を取り外して新たに取り付けなおさなければならず、既存の照明スイッチを直接利用することができないため、面倒である。
【考案の概要】
【考案が解決しようとする課題】
【０００４】
そこで、上述の従来の欠点を解決するために、本考案は、一般的な照明スイッチで照明装置の制御を行うことにより、照明モードの切り替えを行うことが可能な制御装置を提供することを目的とする。
【課題を解決するための手段】
【０００５】
本考案による照明モードの切り替えを行うことが可能な制御装置は、室内電力に電気的に接続される照明スイッチと、前記照明スイッチに電気的に接続される照明装置とによって構成する。前記照明スイッチは、前記照明装置を制御する制御モジュールに電気的に接続され、前記制御モジュールは、電力供給ユニットと、スイッチ検出ユニットと、制御ユニットと、起動ユニットと、制御スイッチとによって構成する。前記電力供給ユニットは、前記電力線に電気的に接続され、前記スイッチ検出ユニットは、前記電力線と前記電力供給ユニットに電気的に接続され、前記制御ユニットは、前記電力供給ユニットと前記スイッチ検出ユニットに電気的に接続され、前記起動ユニットは、前記電力供給ユニットと前記制御ユニットに電気的に接続され、前記制御スイッチは、前記電力線と前記制御ユニットに電気的に接続される。
【考案の効果】
【０００６】
本考案の自動照明を起動させると、夜間は自動的に照明装置をオンにすることができ、昼になったら自動的に照明装置をオフにすることができ、物体が移動するのを検出した時は照明装置をオンにすることができ、使用者が予め設定した照明装置をオンにする時間がきたら自動的に照明装置をオンにすることができる。それにより、泥棒の侵入を防ぐとともに、エネルギーを節約することができ、照明装置の寿命も延ばすことができる。さらに、既存の回路をまったく変えることなく、照明スイッチを直接切り替えるだけで、照明装置の制御を行うことができ、自動照明モードのオンとオフの制御をおこなうことができる。
【図面の簡単な説明】
【０００７】
【図１】本考案の実施例１示したブロック図である。
【図２】本考案の実施例１を示したフローチャートである。
【図３】本考案の実施例２を示したフローチャートである。
【図４】本考案の実施例３を示したフローチャートである。
【考案を実施するための形態】
【０００８】
（実施例１）
図１を参照する。図１は、本考案の実施例１を示したブロック図である。図から分かるように、本考案は、室内電力線１０と電気的に接続される照明スイッチ１１（ボタン式スイッチ）と、照明スイッチ１１に電気的に接続される照明装置３０とによって構成する。また、照明スイッチ１１は、照明装置３０を制御する制御モジュール２０に電気的に接続される。制御モジュール２０は、電力供給ユニット２１と、スイッチ検出ユニット２２と、制御ユニット２３と、起動ユニット２４と、制御スイッチ２５とによって構成する。電力供給ユニット２１は、電力線１０と電気的に接続される。スイッチ検出ユニット２２は、電力線１０と電力供給ユニット２１に電気的に接続される。スイッチ検出ユニット２２は、照明スイッチ１１が所定の時間連続作動したかどうかカウントする時間カウンターユニット２２１を備える。制御ユニット２３は、電力供給ユニット２１とスイッチ検出ユニット２２に電気的に接続される。起動ユニット２４は、電力供給ユニット２１と制御ユニット２３に電気的に接続される。起動ユニット２４は、光線感応起動ユニット、或いは、移動感応起動ユニット、或いは、時間設定起動ユニットの内の一つである。制御スイッチ２５は、電力線１０と制御ユニット２３に電気的に接続される。
【０００９】
図１と図２を参照する。図１は、本考案の実施例１示したブロック図であり、図２は、本考案の実施例１を示したフローチャートである。図から分かるように、使用者は、本考案の制御装置を新しい照明装置内に直接取り付けることができ、それを古い照明装置と交換するだけで、照明装置に本考案特有の機能と利点をもたせることができる。使用者が照明スイッチ１１を切り替えた時、切り替えた時間の間隔が、電力供給ユニット２１が放電する時間及びスイッチ検出ユニット２２が予め設定した時間より長かった時、一般の照明モードとなり、単純に手動でオンとオフを行う。もし、照明スイッチ１１を素早く切換え、切り替える時間の間隔が電力供給ユニット２１が放電する時間及びスイッチ検出ユニット２２が予め設定した時間より短かった時、自動照明モードが起動する、そして、起動ユニット２４が、光が暗くなった（即ち夜になった時）のを検出した場合、信号を制御ユニット２３に送信し、制御スイッチ２５を起動させて照明装置３０を点灯させる。もし、起動ユニット２４が、光が明るくなった（即ち昼になった時）のを検出した場合、信号を制御ユニット２３に送信して制御スイッチ２５を起動させ照明装置３０をオフにする。もし、使用者が再び照明スイッチ１１をオフにした時は、前記自動照明モードは終了し、一般照明モードに戻る。
【００１０】
（実施例２）
図３を参照する。図３は、本考案の実施例２を示したフローチャートである。図から分かるように、使用者が照明スイッチ１１を切り替える時間の間隔が、電力供給ユニット２１が放電する時間及びスイッチ検出ユニット２２が予め設定した時間より長かった場合、一般の照明モードとなり、単純に手動でオンとオフを行う。もし、照明スイッチ１１を素早く切換え、切り替える時間の間隔が、電力供給ユニット２１が放電する時間及びスイッチ検出ユニット２２が予め設定した時間より短かった場合、自動照明モードが起動する。起動ユニット２４が移動感応起動ユニットである時、起動ユニット２４は有効検出範囲内に物体が移動したかどうか検出し、移動を検出した場合は、信号を制御ユニット２３に送信して制御スイッチ２５を起動させ照明装置３０を点灯させる。もし、起動ユニット２４が、有効検出範囲内の物体の移動を検出しなかった場合は、照明装置３０を起動させない。そして、使用者が照明スイッチ１１を再びオフにした時、前記自動照明モードは終了し、一般照明モードに戻る。
【００１１】
（実施例３）
図４を参照する。図４は、本考案の実施例３を示したフローチャートである。図から分かるように、使用者が照明スイッチ１１を切り替える時間の間隔が、電力供給ユニット２１が放電する時間及びスイッチ検出ユニット２２が予め設定した時間より長かった時、一般の照明モードとなり、単純に手動でオンとオフを行う、もし、照明スイッチ１１を素早く切換え、切り替える時間の間隔が電力供給ユニット２１が放電する時間及びスイッチ検出ユニット２２が予め設定した時間より短かった場合、自動照明モードが起動する。そして、起動ユニット２４が時間設定起動ユニット２４の時、使用者は予め照明装置３０の起動時間を設定することができる。自動照明モードが起動した後、起動ユニット２４はカウントを開始し、使用者が設定した点灯時間に達した時、信号を制御ユニット２３に送信し、制御ユニット２３が制御スイッチ２５を起動させ照明装置３０の点灯を行う。反対に、もし、使用者が設定した時間を超えた場合、起動ユニット２４は、スイッチオフ信号を制御ユニット２３に送信し、制御ユニット２３によって制御スイッチ２５が起動され照明装置３０をオフにする。
【００１２】
全ての図を参照する。本考案は、従来の技術と比べ、以下の優れた点がある。
１、普通の照明装置３０が光の明暗或いは移動或いは時間によって自動的に照明のスイッチのオンオフを行う機能を兼ね備えることができなかった欠点を改善することができる。
２、一般的な夜間照明器具或いは光の明暗検出照明装置３０が普通の照明機能を兼ね備えることができなかった欠点を改善することができる。
３、古い照明装置を直接とりかえるだけで、電力回路及び照明スイッチをまったく変更せずに、普通照明或いは自動照明等のモードをもつ照明器具にすることができる。
４、本考案の自動照明を起動させると、夜間は自動的に照明装置３０をオンにすることができ、昼になったら自動的に照明装置３０をオフにすることができ、物体が移動するのを検出した時は照明装置３０をオンにすることができ、使用者が予め設定した照明装置３０をオンにする時間がきたら自動的に照明装置３０をオンにすることができる。それにより、泥棒の侵入を防ぐとともに、エネルギーを節約することができ、照明装置３０の寿命も延ばすことができるという、実用進歩性を有している。
【符号の説明】
【００１３】
１０    電力線    
１１    照明スイッチ    
２０    制御モジュール    
２１    電力供給ユニット    
２２    スイッチ検出ユニット    
２２１  時間カウンターユニット    
２３    制御ユニット    
２４    起動ユニット    
２５    制御スイッチ    
３０    照明装置    
【図１】
0003168069.tif 000003
【図２】
0003168069.tif 000004
【図３】
0003168069.tif 000005
【図４】
0003168069.tif 000006
【手続補正書】
【提出日】平成23年3月23日(2011.3.23)
【手続補正１】
【補正対象書類名】実用新案登録請求の範囲
【補正対象項目名】全文
【補正方法】変更
【補正の内容】
【実用新案登録請求の範囲】
【請求項１】
室内電力に電気的に接続される照明スイッチと、前記照明スイッチに電気的に接続される照明装置とによって構成する照明制御装置であって、
前記照明スイッチは、前記照明装置を制御する制御モジュールに電気的に接続され、前記制御モジュールは、電力供給ユニットと、スイッチ検出ユニットと、制御ユニットと、起動ユニットと、制御スイッチとによって構成し、
前記電力供給ユニットは、前記電力線に電気的に接続され、
前記スイッチ検出ユニットは、前記電力線と前記電力供給ユニットに電気的に接続され、
前記制御ユニットは、前記電力供給ユニットと前記スイッチ検出ユニットに電気的に接続され、
前記起動ユニットは、前記電力供給ユニットと前記制御ユニットに電気的に接続され、
前記制御スイッチは、前記電力線と前記制御ユニットに電気的に接続されることを特徴とする、照明制御装置。
【請求項２】
前記スイッチ検出ユニットは、照明スイッチが所定の時間連続作動したかどうかカウントする時間カウンターユニットを備えることを特徴とする、請求項１に記載の照明制御装置。
【請求項３】
前記起動ユニットは、光線感応起動ユニット、或いは、移動感応起動ユニット、或いは、時間設定起動ユニットの内の一つであることを特徴とする、請求項１に記載の照明制御装置。
【請求項４】
前記照明スイッチはボタンスイッチであることを特徴とする、請求項１に記載の照明制御装置。